(57)【要約】【課題】船内における部署間連絡用グループ通話を常時複数開催することで、電話端末から即、部署間連絡用グループ通話に参加できる機能を提供する。【解決手段】ＩＰ交換機及びＩＰ電話端末、を使用して船内の部署間連絡を行う船内グループ通話システムにおいて、緊急時の即応性を向上させるためにグループ通話を常時開催するＩＰ交換機１００と、グループ通話への参加を可能とするグループ通話参加手段２０１を有するＩＰ電話端末１１０〜１１４、１２０〜１２２とを備える。【選択図】図１
2008141556.tif 000002
【特許請求の範囲】
【請求項１】
ＩＰ交換機及びＩＰ電話端末を使用して船内の部署間連絡を行う船内グループ通話システムにおいて、
緊急時の即応性を向上させるためにグループ通話を常時開催するＩＰ交換機と、
グループ通話への参加を可能とするグループ通話参加手段を有するＩＰ電話端末と、
を備えたことを特徴とする船内グループ通話システム。
【請求項２】
ＩＰ電話端末は、必要なグループメンバを呼び出し可能とするグループメンバ呼び出しボタンを装備したことを特徴とする請求項１記載の船内グループ通話システム。
【請求項３】
各グループ通話に参加するＩＰ電話端末は、予め定められた部署間連絡のためのグループ通話専用にされており、各グループ通話に常時参加していることを特徴とする請求項１記載の船内グループ通話システム。
【請求項４】
ＩＰ電話端末は、ハンドセット又はヘッドセットにグループ通話ＩＤを持たせ、前記ハンドセット又はヘッドセットをＩＰ電話端末に着脱接続できるハンドセット又はヘッドセット着脱コネクタ備え、ＩＰ電話端末の設置場所に関わらず、必要とするグループ通話に容易に参加できるシステムとしたことを特徴とする請求項１記載の船内グループ通話システム。
【発明の詳細な説明】
【技術分野】
【０００１】
この発明は、船内における、部署間連絡用の船内グループ通話システムに関するものである。
【背景技術】
【０００２】
従来のグループ通話システムにおいては、電話帳データベースを予め作成し、そのデータベースにアクセスすることによって、グループ通話メンバの招集を行っている（例えば、特許文献１参照）。
【０００３】
【特許文献１】特開２００３−２９８７５１号公報
【発明の開示】
【発明が解決しようとする課題】
【０００４】
従来の船内における複数の人間による部署間連絡のためのグループ通話においては、交換機の電話会議機能を利用して、その都度、電話会議を開催し連絡するか、一対一通話を繰り返していた。
そのため、緊急時の部署間連絡における即応性に欠けるという問題点があった。
【０００５】
この発明は上記のような課題を解決するためになされたものであり、船内における部署間連絡用グループ通話を常時複数開催することで、電話端末から即、部署間連絡用グループ通話に参加できる機能を提供することを目的とする。
【課題を解決するための手段】
【０００６】
この発明に係る船内グループ通話システムにおいては、ＩＰ交換機及びＩＰ電話端末を使用して船内の部署間連絡を行う船内グループ通話システムにおいて、緊急時の即応性を向上させるためにグループ通話を常時開催するＩＰ交換機と、グループ通話への参加を可能とするグループ通話参加手段を有するＩＰ電話端末とを備えたものである。
【発明の効果】
【０００７】
この発明によれば、緊急時の即応性を向上させた船内における部署間連絡用グループ電話システムを簡単な構成で実現できる効果がある。
【発明を実施するための最良の形態】
【０００８】
実施の形態１．
以下、この発明の実施の形態１を図１に基づいて説明する。図１はこの発明の実施の形態１が適用される船内グループ通話システムであり、グループ通話＃１とグループ通話＃２の機能を備えたＩＰ交換機１００と、グループ通話＃１用のＩＰ電話端末１１０〜１１４と、グループ通話＃２用のＩＰ電話端末１２０〜１２２と、それらを接続するネットワーク１３０と、から構成されている。
また、図２はグループ通話＃１用のＩＰ電話端末１１０の操作面の例であり、グループ通話参加ボタン２０１が装備されている。
【０００９】
次に動作について説明する。ＩＰ交換機１００は、部署間連絡のためのグループ通話＃１、グループ通話＃２を常時開催する。
各グループ通話に参加するＩＰ電話端末は予め定められており、例えば、ＩＰ電話端末１１０〜１１４はグループ通話＃１、ＩＰ電話端末１２０〜１２２はグループ通話＃２に常時参加している。
【００１０】
ここで、図２に示すグループ通話＃１用のＩＰ電話端末１１０でグループ通話参加ボタン２０１を押すと、自動的にグループ通話＃１に参加し、グループ通話＃１の他の参加者と即時に通話が可能となる。
【００１１】
実施の形態２．
上記実施の形態１では、グループ通話参加ボタン２０１によりグループ通話に参加する場合について述べたが、図３に示すように、グループメンバ呼び出しボタン３０１を設け、グループ通話＃１に登録されているがまだ参加していないＩＰ電話端末を呼び出すことができるようにすることで、予定されたＩＰ電話端末間のグループ通話を確実に行うことができる。
【００１２】
実施の形態３．
上記実施の形態１、２では、一般のＩＰ電話端末にグループ通話参加ボタン２０１、グループメンバ呼び出しボタン３０１を設けたが、グループ通話専用ＩＰ電話端末とすれば、ボタンを押すことなしにグループ通話に参加できる。
【００１３】
実施の形態４．
上記実施の形態１〜３では、ＩＰ電話端末ごとに参加するグループを割り当てたが、図４に示すように、ＩＰ電話端末でハンドセット（又は、ヘッドセット）を容易に着脱できる構造とする。すなわち、ハンドセット（又は、ヘッドセット）にグループ通話ＩＤを持たせたＩＤ機能付きハンドセット（又は、ヘッドセット）４０１をハンドセット着脱コネクタ４０２により、ＩＰ電話端末に着脱できるようにしたものである。そして、ＩＰ電話端末はこのＩＤを元に参加するグループ会議番号をＩＰ交換機に送信することで、ＩＰ電話端末の場所に依らず必要なグループ会議に参加できる。なお、図中、４０３はＩＰ電話端末に設けられたグループ通話参加ボタンである。
【００１４】
図５は実施の形態４のＩＰ電話端末の会議参加フローチャートである。
ＩＰ電話端末は、立ち上がるとハンドセットの接続を待つ（ステップＳ１）。ハンドセットが接続されるとハンドセットからＩＤを取得し（ステップＳ２）、グループ通話参加ボタンが押されるのを待つ（ステップＳ３）。グループ通話参加ボタンが押された場合は、ステップＳ２で取得したＩＤ番号を元にＩＰ交換機に対して会議参加を通知し（ステップＳ４）、グループ通話状態となる（ステップＳ５）。
【図面の簡単な説明】
【００１５】
【図１】この発明の実施の形態１における船内グループ通話システムを示すシステム構成図である。
【図２】この発明の実施の形態１における船内グループ通話システムに用いられるＩＰ電話端末の操作面を示す平面図である。
【図３】この発明の実施の形態２における船内グループ通話システムに用いられるＩＰ電話端末の操作面を示す平面図である。
【図４】この発明の実施の形態４における船内グループ通話システムに用いられるＩＰ電話端末の操作面を示す平面図である。
【図５】この発明の実施の形態４における船内グループ通話システムの会議参加を説明するためのフローチャートである。
【符号の説明】
【００１６】
１００    ＩＰ交換機
１１０〜１１４    グループ通話＃１用のＩＰ電話端末
１２０〜１２２    グループ通話＃２用のＩＰ電話端末
１３０  ネットワーク
２０１  グループ通話参加ボタン
３０１  グループメンバ呼び出しボタン
４０１  ＩＤ機能付きハンドセット（又はヘッドセット）
４０２  ハンドセット（又はヘッドセット）着脱コネクタ
４０３  グループ通話参加ボタン
【図１】
2008141556.tif 000003
【図２】
2008141556.tif 000004
【図３】
2008141556.tif 000005
【図４】
2008141556.tif 000006
【図５】
2008141556.tif 000007